(57)【特許請求の範囲】
【請求項１】
湿式剃毛かみそりであって、
ハンドルであって、前記ハンドルの長手方向の軸線に沿って延びる実質的に剛性の細長い把持セクションを有する前記ハンドルと、
前記細長い把持セクションに結合されたカバーであって、第１の幅を有する第１のセクションと、前記第１の幅未満である第２の幅を有する第２のセクションと、を有する複数の柔軟なフィンを含み、前記フィンの１つ以上が撓み、隣接するフィンに接触する曲げ位置を有するように、前記フィンが、１：１〜２：１の高さ対間隙幅の比率を有する、前記カバーと、
を含み、
前記フィンが、前記細長い把持セクションに取り外し可能に結合される、湿式剃毛かみそり。
【請求項２】
前記複数の柔軟なフィンの複数の先端部分を相互に連結するフレームを更に含む、請求項１に記載の湿式剃毛かみそり。
【請求項３】
前記細長い把持セクションの上面から突出し、前記ハンドルの長手方向の軸線に実質的に横方向に延びる、複数の実質的に剛性のリブを更に含む、請求項１に記載の湿式剃毛かみそり。
【請求項４】
前記複数のフィンが、前記カバーを通って延びる複数のスロットを画定し、前記複数の柔軟なフィンが、前記細長い把持部分のそれぞれのリブの間に位置する、請求項３に記載の湿式剃毛かみそり。
【請求項５】
前記フレームが、前記細長い把持セクションに固定して結合される、請求項１に記載の湿式剃毛かみそり。
【請求項６】
前記フレーム、前記カバー、及び前記複数の柔軟なフィンが、２０〜４０のショアＡ硬さを有する、請求項１又は５に記載の湿式剃毛かみそり。
【請求項７】
前記カバーが、前記細長い把持セクションの１つ以上の側壁に沿って延びる、請求項１に記載の湿式剃毛かみそり。
【請求項８】
前記第１の幅が１．４５ｍｍ〜２ｍｍである、請求項１に記載の湿式剃毛かみそり。
【請求項９】
前記複数の柔軟なフィンの１つ以上が、前記カバーの近位端部に向かって角度をなし、前記複数の柔軟なフィンの１つ以上が、前記カバーの遠位端部に向かって角度をなす、請求項１に記載の湿式剃毛かみそり。
【請求項１０】
前記複数の柔軟なフィンの１つ以上が、前記カバーの遠位端部に向かって角度をなす、請求項１又は９に記載の湿式剃毛かみそり。
【請求項１１】
前記第２の幅が０．８ｍｍ〜１．４ｍｍである、請求項１に記載の湿式剃毛かみそり。
【請求項１２】
前記フィンが、１：１〜２：１の高さ対間隙幅の比率を有する、請求項１に記載の湿式剃毛かみそり。
【請求項１３】
前記角度をなす複数のフィンの１つ以上が湾曲している、請求項１、９、又は１０に記載の湿式剃毛かみそり。
【請求項１４】
前記カバーが、前記ハンドルの長手方向の軸線に沿って垂直に凹面の輪郭を有する、請求項１に記載の湿式剃毛かみそり。
【発明の詳細な説明】
【技術分野】
【０００１】
本発明は洗面用品のハンドルに関し、より具体的には、１つ以上のエラストマー製の把持部分を備えたハンドルを有するプラスチック製剃毛かみそりに関する。
【背景技術】
【０００２】
剃毛かみそりのハンドルは、成形プラスチックで作られることが多い。ハンドルの基部を成形するために第１のプラスチック材料を用いることができ、エラストマー材料等の第２のより柔軟なプラスチックをその基部上に成形することができる。第２のより柔軟なプラスチック材料は、感触を改善し、ローション、ゲル又は油剤が使用される特に湿潤環境でのすべりを低減するために、リブ又は他の把持部材を含むことができる。把持部分を有する剃毛かみそりの一例は、米国意匠特許第Ｄ５６６，８９６  Ｓ号に示されており、Ｄｏｒｃｏ  Ｃｏ．，Ｌｔｄ．によって製造され、様々なＫＭＡＲＴ店で購入可能である。
【先行技術文献】
【特許文献】
【０００３】
【特許文献１】米国意匠特許第Ｄ５６６，８９６  Ｓ号
【発明の概要】
【課題を解決するための手段】
【０００４】
１つの態様において、本発明は概して、近位端部と、遠位端部と、細長い把持セクションの上面から突出し、その細長い把持セクションの長手方向の軸線に実質的に垂直に延びる、複数の実質的に剛性のリブと、を有する実質的に剛性の細長い把持セクションを含む身だしなみ用品のハンドルを特徴付ける。可撓性のカバーは、細長い把持セクションに結合され、複数のフィン、及びその複数のフィンの複数の先端部分を相互に連結するフレームを含む。複数のフィンは、カバーを通って延びる複数のスロットを画定し、フィンは細長い把持部分のそれぞれのリブの間に位置する。所望により、特定の実施形態は、細長い把持セクションに取り外し可能に結合されるフィンを随意に含むことができる。
【０００５】
別の態様において、本発明は概して、ハンドルであって、ハンドルの長手方向の軸線に沿って延びる実質的に剛性の細長い把持セクションを有するハンドルを含む、湿式剃毛かみそりを特徴付ける。エラストマーカバーは、細長い把持セクションに結合され、第１の幅と、第１の幅未満である第２の幅と、を有する複数の柔軟なフィンを含む。フィンは、約２０〜約４０のショアＡ硬さ、及び約１：１〜約２：１の高さ対間隙幅の比率を有する。
【０００６】
別の態様において、本発明は概して、ハンドルであって、ハンドルの長手方向の軸線に沿って延びる実質的に剛性の細長い把持セクションを有するハンドルと、その細長い把持セクションに結合されたエラストマーカバーと、を含む、湿式剃毛かみそりを特徴付ける。カバーは、第１の幅を有する第１のセクションと、第１の幅未満である第２の幅を有する第２のセクションと、を有する複数の柔軟なフィンを含む。フィンの１つ以上が撓み、隣接するフィンに接触する曲げ位置を有するように、フィンは、約１：１〜約２：１の高さ対間隙幅の比率を有する。
【図面の簡単な説明】
【０００７】
【図１】湿式剃毛かみそりの底面図。
【図２】図１に示される剃毛かみそりに組み込まれることができるハンドルの１つの可能な実施形態の底面図。
【図３】図１に示される剃毛かみそりに組み込まれることができるカバーの平面図。
【図４】概して図１の線ＩＶ〜ＩＶで得られた湿式剃毛かみそりの一部の側面断面図。
【発明を実施するための形態】
【０００８】
図１を参照すると、ハンドル１２とカートリッジ１４とを有する剃毛かみそり１０を図示して、本開示の１つの可能な実施形態が示される。特定の実施形態において、カートリッジ１４は、ハンドル１２の近位端部１６に取り外し可能かつ枢動可能に取り付けることができる。カートリッジ１４はハンドル１２から取り外されて廃棄されてもよく、使用者の必要に応じて新しいカートリッジ１４をハンドル１２に取り付けることができる。ハンドル１２は長手方向の軸線Ａ１に沿って延びることができる。細長い基部部材２２は、ハンドル１２の近位端部１６から遠位端部１８まで延びることができる。ハンドル１２は、濡れた状態でのハンドル１２の把持に改善をもたらすカバー３０を有する細長い把持部分２０を含むことができる。以下に更に詳細に説明するように、剃毛中の使用者に最適の重み、感触、及び機能を提供するために、ハンドル１２はいくつかの異なる材料から製造することができる。
【０００９】
図２を参照すると、ハンドル１２の底面図が、明瞭に示すためにカバー３０を取り外した状態で示される。特定の実施形態において、細長い基部部材２２は、亜鉛合金等の比較的重い又は高密度の材料から製造することができる。金属、合金、充填ポリマー、又は複合体等の他の材料も使用することができる。細長い基部部材２２は、ハンドルに所望の重み及びバランスを与えることができる。細長い把持セクション２０は、細長い基部部材２２と同じ材料から製造又は成形してもよく、又は非充填のプラスチック等のより軽い材料を使用してもよい。細長い把持セクション２０は、つるつるした又は滑りやすい表面をもたらすポリマーから成形されてもよい。例えば、細長い把持部分２０は、耐衝撃性ポリスチレン（ＨＩＰＳ）、ポリプロピレン（ＰＰ）及びアクリロニトリルブタジエンスチレン（ＡＢＳ）等のポリマーから成形されてもよい。細長い把持セクション２０の表面仕上もまた、表面の滑りやすさを高めるために滑らかなものであってもよく、それによりハンドル１２から水を除去することを補助することができる。細長い把持部分２０は、オーバーモールド成形、インサート成形、機械的ファスナー、接着剤、及び様々なスナップ、ラッチ又はプレス嵌めの設計等の標準組立作業を用いて、細長い基部部材２２に組み立てることができる。
【００１０】
細長い把持部分２０は、細長い把持部分２０の上面２８よりわずかに突出し、ハンドル１２の長手方向の軸線Ａ１に実質的に横方向に走る、複数のリブ２６ａ〜２６ｐを含むことができる。リブ２６ａ〜２６ｐは、少なくとも一部分が、ハンドル１２の１つ以上の側壁２５及び２７に沿って延びてもよい。リブ２６ａ〜２６ｐは、第１の組の湾曲したリブ２６ａ〜２６ｇ、第２の組の湾曲したリブ２６ｋ〜２６ｐ、及び第１の組の湾曲したリブ２６ａ〜２６ｇと第２の組の湾曲したリブ２６ｋ〜２６ｐとの間に位置する１組の実質的にまっすぐなリブ２６ｈ〜２６ｊを含むことができる。第１の組の湾曲したリブ２６ａ〜２６ｇは、ハンドル１２の近位端部１６に向かって位置することができ、第２の組の湾曲したリブ２６ｋ〜２６ｐは、ハンドル１２の遠位端部１８に向かって配置されることができる。第１の組の湾曲したリブ２６ａ〜２６ｇ及び第２の組の湾曲したリブ２６ｋ〜２６ｐは、１組の実質的にまっすぐなリブ２６ｈ〜２６ｊに向かって角度をなす内側の曲率半径を有することができる。複数のリブ２６ａ〜２６ｐは、一連の対応するスロット２８ａ〜２８ｐを画定することができる。複数のリブ２６ａ〜２６ｐ及び一連のスロット２８ａ〜２８ｐはそれぞれ、細長い把持セクション２０の長手方向の軸線Ａ２に沿って横方向に、概して滑らかで弓形の輪郭を有することができる。
【００１１】
図３を参照すると、図１のハンドル１２に組み込まれることができるカバー３０の１つの可能な実施形態の底面図が示される。カバー３０は、特定のエラストマー等のべとつく、又は粘着性の特性を有する軟質ポリマーから成形することができる。カバー３０の摩擦係数は、細長い把持セクション２０の摩擦係数より大きくすることができる。エラストマーカバー３０は、約２０〜、３０〜、又は４０〜約６０、７０、又は８０のショアＡ硬さを有してもよい。
【００１２】
エラストマーカバー３０は、カバー３０の上面４０から上方に突出し、カバー３０の長手方向の軸線Ａ３に実質的に横方向に延びる、複数のフィン３６ａ〜３６ｏを含むことができる。フィン３６は、第１の組の湾曲したフィン３６ａ〜３６ｇ、第２の組の湾曲したフィン３６ｋ〜３６ｏ、及び第１の組の湾曲したフィン３６ａ〜３６ｇと第２の組の湾曲したフィン３６ｋ〜３６ｏとの間に位置する１組の実質的にまっすぐなフィン３６ｈ〜３６ｊを含むことができる。第１の組の湾曲したフィン３６ａ〜３６ｇは、カバー３０の近位端部３２に向かって位置することができ、第２の組の湾曲したフィン３６ｋ〜３６ｐは、カバー３０の遠位端部３４に向かって配置されることができる。第１の組の湾曲したフィン３６ａ〜３６ｇ及び第２の組の湾曲したフィン３６ｋ〜３６ｏは、概して１組の実質的にまっすぐなリブ３６ｈ〜３６ｊに向かって角度をなす内側の曲率半径を有することができる。複数のフィン３６ａ〜３６ｏは、フィン３６ａ〜３６ｐの外側縁の周辺部に延びる囲まれたフレーム３７によって互いに連結されることができる。フレーム３７は、フィン３６ａ〜３６ｐの複数の先端部分を相互に連結することができる。フレーム３７は、フィン３６ａ〜３６ｏ間の相互連結、又は支持構造をなくすことによって、フィン３６ａ〜３６ｏの柔軟性を高めるとともに、十分な強度及び耐久性をもたらすことができる。カバー３０及び複数のフィン３６ａ〜３６ｇは、カバー３０の上面４０を完全に通って延びる一連のスロット３８ａ〜３８ｐを画定することができる。複数のフィン３６ａ〜３６ｏは、カバー３０の長手方向の軸線Ａ３に沿って垂直に、概して弓形の輪郭を有することができる。
【００１３】
フィン３６ａ〜３６ｏの１つ以上は、カバー３０の上面４０に垂直でない角度で上面４０から突出してもよい。例えば、フィン３６ａ〜３６ｏは、約３０度〜約９０度の角度を有してもよい。フィン３６ａ〜３６ｇは、カバー３０の近位端部３２に向かって角度をなして延びることができ、フィン３６ｋ〜３６ｏは、カバーの遠位端部３４に向かって角度をなして延びることができる。フィン３６の角度は、フィン３６の撓みを容易にすることができる。
【００１４】
図４を参照すると、フィン３６ｉ及び３６ｊを図示して、細長い把持セクション２０の一部の拡大側面断面図が示される。特に指定されない限り、フィン３６ａ〜３６ｏは、構造及び機能において実質的に同様であり得ることが理解される。明瞭に示す目的で、フィン３６ｉ及び３６ｊのみが図４に示される。更に、他のフィン３６ａ〜３６ｈ及び３６ｋ〜３６ｏは、フィン３６ｉ及び３６ｊと同様の特徴、寸法、割合を有しているため、同様の機能を有することが理解されるので、図４に関してフィン３６ｉ及び３６ｊのみの全詳細が説明される。
【００１５】
特定の実施形態において、オーバーモールド又は共モールドのプロセスを用いて、カバー３０及び細長い把持セクション２０を製造することができるが、そのプロセスでは、細長い把持セクション２０が最初に成形され、カバー３０用のエラストマーが細長い把持セクション２０の周りに射出成形される。他の実施形態では、カバー３０は、超音波溶接若しくはレーザー溶接等のその他の方法、スナップ嵌合若しくはプレス嵌めの設計等の機械的方法、ねじ若しくはピン等の機械的ファスナー、又は更には接着剤等の化学的方法を用いて、細長い把持セクション２０に固定される、又は結合されることができる。カバー３０を細長い把持セクション２０に成形した後、細長い把持セクション２０は、エラストマーカバー３０が実質的にない露出した上面５８を有してもよく、それは水及び剃毛潤滑助剤等の他の材料をカバー３０から逃がすことを補助することができ、したがって、濡れた状態での把持に改善をもたらす。特定の実施形態において、カバー３０及び細長い把持セクション２０は、２つの構成部品間で色の区別ができるように、異なる色を有するポリマーから成形されてもよく、例えば、細長い把持セクション２０を透明に、カバー３０を灰色にすることができる。
【００１６】
フィン３６は、１対の隣接したリブ２６の間に成形又は位置することができる。例えば、フィン３６ｉは、リブ２６ｈと２６ｉとの間に成形又は位置してもよく、フィン３６ｊはリブ２６ｉと２６ｊとの間に成形又は位置してもよい。リブ２６、例えばリブ２６ｈ及び２６ｉは、支持してフィン３６ｉにさらなる剛性をもたらす、それぞれの側壁５０及び５２を有することができる。リブ２６ｈ及び２６ｉ等のリブは、それぞれのフィン、例えばフィン３６ｉ及び３６ｊが結合又は接合する表面積の増大を可能にすることができる。例えば、フィン３６ｉは、細長い把持セクション２０の上面２８、並びに露出した上面５８及び隣接したリブ２６ｈ及び２６ｉの側壁５０及び５２に、少なくとも一部分が結合又は接合されてもよい。特定の実施形態において、フィン３６が解放可能に結合されて、細長い把持部分２０からフィン３６を引き離すことができるように、フィン３６は、細長い把持部分２０と解放可能な比較的弱い結合を有してもよい。カバー３０のフレーム部分３７は、フレームが細長い把持部分２０から離れないように、細長い把持セクション２０に固定して結合されたままであってもよい。フィン３６を細長い把持部分２０から解放できることにより、ハンドルが使用者によって把持されるとき、フィンが撓み、互いに接触することを補助することができる。
【００１７】
フィン３６は、約１．２ｍｍ〜約２．５ｍｍ、例えば、約１．７ｍｍの高さ「ｈ１」を有し得る。高さ「ｈ１」は、フィン３６ｊの上面６２ｊから細長い把持セクション２０の露出した上面５８までを測定することができる。フィン（例えば、フィン３６ｊ）の高さ「ｈ１」は、隣接するフィン（例えば、フィン３６ｉ及び３６ｊ）間の間隙幅「ｄ１」以上であってよい。距離「ｄ１」は、細長い把持セクション２０の上面５８がフィン３６ｉ及び３６ｊと交わるところで測定することができる。間隙幅「ｄ１」は、約０．５ｍｍ〜約１．２ｍｍ、例えば約１ｍｍであってよい。特定の実施形態において、フィン３６は、約１：１より大きい高さ対間隙幅の比率を有してよく、例えば、高さ対間隙幅の比率は約１．６：１であってよい。高さ対間隙幅の比率は約５：１まで大きくてもよい。間隙幅（隣接したフィン３６間の面積）は、エラストマーカバー３０が実質的になくてもよい。間隙幅にエラストマー材料が実質的にないこと、フィンの高さ、及び高さ対間隙幅の比率はすべて、水及び他の物質が、使用者の指先の下及びフィン３６を通って流れやすくするので、使用者の把持が改善される。改善された水の流れも、細長い把持セクション２０及びカバー３０を洗浄しすすぐ能力を高めることができる。（約５：１。）
【００１８】
フィン３６は、第２のセクションの第２の幅「ｗ２」より大きい第１の幅「ｗ１」を有する第１のセクションを有する段差設計を有することができる。第１の幅は約１．４５ｍｍ〜約２．０ｍｍであってよく、第２の幅は約０．８ｍｍ〜約１．４ｍｍであってよい。第１の幅「ｗ１」は、フィン３６の構造上の完全性をもたらすことができるとともに、把持セクション２０に結合又は接合されることができるフィン３６の表面積を増大させることができる。第２の幅「ｗ２」は、フィン３６の撓み又は曲げを容易にするために、付加的な柔軟性をもたらすことができる。フィン３６の第２の幅「ｗ２」は、使用者との接触表面積を減少させ、そのためより多くの力がフィン３６に集中して、より多くの力でハンドル１２を把持する必要なくフィン３６をより大きい程度まで撓ませることにより、撓みも容易にすることができる。特定の実施形態において、フィン３６は、約１：０．８〜約１：３．２の範囲、例えば約１：１．８の高さ対第１の幅の比率を有してもよい。特定の実施形態において、フィン３６は、約１：０．６〜約１：１．７の範囲、例えば１：１．２５の高さ対第２の幅の比率を有してもよい。段差設計は、隣接するフィン３６ｉ及び３６ｊの上面６２ｉと６２ｊとの間で測定した場合、フィン３６間（例えばフィン３６ｉ及び３６ｊ）のより大きい距離を更に可能にすることができる。隣接するフィン間の距離「ｄ２」は、約２ｍｍ〜約３ｍｍ、例えば約２．７ｍｍであってよい。
【００１９】
高さ対第１の幅の比率、高さ対第２の幅の比率、高さ対間隙幅の比率、及びフィン３６の物理的特性（硬さ及び伸び等）は、使用者がカバー３０を把持するとき、フィン３６が撓み、隣接するフィンに接触することを可能にする。例えばフィン３６ｉが、隣接する例えばフィン３６ｊの方向に撓み、折り重なるとき、ブリッジが作られることができ、使用者の手又は指が、使用者の把持に好ましからざる影響を有する水又は剃毛潤滑助剤を含み得る細長い把持セクション２０の露出した上面５８と接触するのを防止することができる。水及び潤滑物質が使用者の手及び指の下を通過することを可能にすることによって、使用者と水及び潤滑物質との接触を最小限にすることで、フィン３６は、濡れた状態での把持に改善をもたらすことができる。細長い把持部分の剛性材料は、隣接したフィン３６間のすき間からの水及び潤滑物質の除去を促進させることができるとともに、フィン３６のべとつく特性及び材料の柔軟性が、把持を更に改善する。
【００２０】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示される寸法は、「約４０ｍｍ」を意味するものとする。特に指定されない限り、図面は一定の縮尺ではなく、概して比例しており、様々な構成部品及び構造体の特定の寸法比を判断するために依拠することができる。
【００２１】
相互参照される又は関連するあらゆる特許又は出願書類を含め、本明細書において引用される全ての文献は、明示的に除外ないしは制限されない限り、その全体が参照により本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参照により組み込まれる文献における同一の用語のいずれかの意味又は定義と相反する限りにおいては、本書においてその用語に与えられた定義又は意味が適用されるものとする。
【００２２】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の特許請求の範囲で扱うものとする。
【図１】
0005405577.tif 000002
【図２】
0005405577.tif 000003
【図３】
0005405577.tif 000004
【図４】
0005405577.tif 000005